(57)【要約】      （修正有）【課題】航空機や新幹線等の、前席のシートバックの裏面にスマートフォン、タブレット端末、カメラ等を簡単に取付けることができる構造が簡単で持ち運びが容易なホルダを提供する。【解決手段】縦片１１ａと縦片の一端から略直角に屈曲する横片１１ｂから成る断面Ｌ字形に成形した掛止片１１と、横片の先端部に設けられ、モバイル端末又はカメラが着脱可能に装着されるホルダ本体、又はホルダ本体が着脱可能に連結される連結手段１２を備え、シートバックの背面に倒伏させたテーブルとシートバックの背面で縦片を挟持し、横片をテーブルの上端部に掛止してテーブルに取付けるようにした。【選択図】図１
0003194458.tif 000002
【実用新案登録請求の範囲】
【請求項１】
シートバックの背面に組み付けられ、後席の着座者が使用するときにシートバックの背面から後方へ略水平に引き出し、使用しないときシートバックの背面に倒伏させることができるテーブルを備えたシートにモバイル端末又はカメラを着脱可能に装着するホルダであって、
縦片と縦片の一端から略直角に屈曲する横片から成る断面Ｌ字形に成形した掛止片と、横片の先端部に設けられ、モバイル端末又はカメラが着脱可能に装着されるホルダ本体、又はホルダ本体が着脱可能に連結される連結手段を備え、
シートバックの背面に倒伏させたテーブルとシートバックの背面で縦片を挟持し、横片をテーブルの上端部に掛止してテーブルに取付けるようにしたことを特徴とするホルダ。
【請求項２】
シートバックの背面に前後方向へ回動可能に組み付けられ、後席の着座者が使用するときシートバックの背面から後方へ略水平に延ばすことができ、使用しないときシートバックの背面に倒伏させることができるテーブルを備えたシートにモバイル端末又はカメラを着脱可能に装着するホルダであって、
塑性変形可能な材質から成る掛止片と、掛止片の一端に設けられ、モバイル端末又はカメラが着脱可能に装着されるホルダ本体、又はホルダ本体が着脱可能に連結される連結手段を備え、
掛止片を縦片と縦片の一端から略直角に屈曲し、先端部に連結手段が設けられた横片から成る断面Ｌ字形となるように塑性変形し、
シートバックの背面に倒伏させたテーブルとシートバックの背面で縦片を挟持し、横片をテーブルの上端部に掛止してテーブルに取付けるようにしたことを特徴とするホルダ。
【請求項３】
シートバックの背面に前後方向へ回動可能に組み付けられ、後席の着座者が使用するときシートバックの背面から後方へ略水平に延ばすことができ、使用しないときシートバックの背面に倒伏させることができるテーブルを備えたシートにモバイル端末又はカメラを着脱可能に装着するホルダであって、
塑性変形可能なワイヤから成る掛止片と、掛止片の一端に設けられ、モバイル端末又はカメラが着脱可能に装着されるホルダ本体、又はホルダ本体が着脱可能に連結される連結手段を備え、
掛止片を縦片と縦片の一端から略直角に屈曲し、先端部に連結手段が設けられた横片から成る断面Ｌ字形となるように塑性変形し、
シートバックの背面に倒伏させたテーブルとシートバックの背面で縦片を挟持し、横片をテーブルの上端部に掛止してテーブルに取付けるようにしたことを特徴とするホルダ。
【請求項４】
連結手段として、ボールジョイントを設けたことを特徴とする請求項１に記載のホルダ。
【請求項５】
連結手段として、吸盤を設けたことを特徴とする請求項１に記載のホルダ。
【請求項６】
連結手段として、マグネットを設けたことを特徴とする請求項１に記載のホルダ。
【請求項７】
連結手段として、粘着シートを設けたことを特徴とする請求項１に記載のホルダ。
【請求項８】
連結手段として、ネジを設けたことを特徴とする請求項１に記載のホルダ。
【請求項９】
縦片と平行に、かつ回動可能に回動縦片を横片の一端に組み付け、回動縦片にホルダ本体又は連結手段を設けたことを特徴とする請求項１に記載のホルダ。
【考案の詳細な説明】
【技術分野】
【０００１】
本考案は、ホルダに関し、より詳しくは航空機、新幹線、特急電車、長距離バス等のシートに座ってスマートフォンやタブレット端末等のモバイル端末やカメラを使用するときに好適なホルダに関する。
【背景技術】
【０００２】
航空機や新幹線、特急電車、長距離バス等を利用して遠方へ移動するとき、長時間シートに座り続けることになるので、スマートフォンやタブレット端末を使って動画を楽しみながら移動時間を過ごしている乗客がよく見かけられる。
【０００３】
航空機、新幹線、特急電車、長距離用バス等のシートのシートバックの背面には後席の着座者が利用できるテーブルが組み付けられている。この種のテーブルは後席の着座者が使用するとき、前席のシートバックの背面から後方へ水平に引き出すことができる。一方、使用されないとき、シートバックの背面に形成された凹所に倒伏して仕舞い込むことができる。
【０００４】
このテーブルを前席のシートバックの凹所から引き出し、タブレット端末をその上に置いて、前席のシートバックに立て掛けても、タブレット端末は航空機や新幹線等が揺れると倒れてしまうので、タブレット端末で動画を楽しむにはタブレット端末を手で持っていなければならず、不便である。
【０００５】
一方、特開２００４−１３８４３号公報には、タブレット端末を取付けることができる台座を備えたタブレット端末用ホルダが開示されている。台座にタブレット端末を取り付けて航空機等のテーブルに置けば、航空機等が揺れてもタブレット端末が倒れることはないので、タブレット端末を手で支えなくて動画を楽しむことができる。
また、特開２０１３−２５６２４０号公報にはスマートフォン用ホルダが開示されている。このホルダは裏面に吸盤を備えた取付ベースと、ベースに立てて設けたアームと、アームの先端部に設けた挟持アームを備えている。挟持アームでスマートフォンを挟持し、取付ベースをテーブルに置いて吸盤でテーブルに吸着することにより、強い揺れでもスマートフォンが倒れないようにテーブルに設置できる。
さらにまた、特開２０１３−２１６１６３号公報にはシートバックの背面にスマートフォン用ホルダを設け、スマートフォンをシートバックの背面に立て掛けることができる車両用シートが開示されている。
【先行技術文献】
【特許文献】
【０００６】
【特許文献１】特開２００４−１３８４３号公報
【特許文献２】特開２０１３−２５６２４０号公報
【特許文献３】特開２０１３−２１６１６３号公報
【考案の概要】
【考案が解決しようとする課題】
【０００７】
上記した従来のタブレット端末用ホルダやスマートフォン用ホルダは嵩張るため、航空機や新幹線を利用して移動するとき、手荷物として持ち運ぶには甚だ不便である。また、航空機や新幹線のシートにスマートフォン用ホルダを組み込むにはシートの製造コストが掛かり過ぎる。
本考案はかかる事情に鑑みてなされたものであって、航空機や新幹線等のシートに座ったとき、前席のシートバックの裏面にスマートフォン、タブレット端末、カメラ等を簡単に取付けることができ、構造が簡単で嵩張らず、持ち運びが容易なホルダを提供することを目的とする。
【課題を解決するための手段】
【０００８】
請求項１に記載の考案は、シートバックの背面に組み付けられ、後席の着座者が使用するときにシートバックの背面から後方へ略水平に引き出し、使用しないときシートバックの背面に倒伏させることができるテーブルを備えたシートにモバイル端末又はカメラを着脱可能に装着するホルダであって、
縦片と縦片の一端から略直角に屈曲する横片から成る断面Ｌ字形に成形した掛止片と、横片の先端部に設けられ、モバイル端末又はカメラが着脱可能に装着されるホルダ本体、又はホルダ本体が着脱可能に連結される連結手段を備え、
シートバックの背面に倒伏させたテーブルとシートバックの背面で縦片を挟持し、横片をテーブルの上端部に掛止してテーブルに取付けるようにしたことを特徴とする。
【０００９】
請求項２に記載の考案は、シートバックの背面に前後方向へ回動可能に組み付けられ、後席の着座者が使用するときシートバックの背面から後方へ略水平に延ばすことができ、使用しないときシートバックの背面に倒伏させることができるテーブルを備えたシートにモバイル端末又はカメラを着脱可能に装着するホルダであって、
塑性変形可能な材質から成る掛止片と、掛止片の一端に設けられ、モバイル端末又はカメラが着脱可能に装着されるホルダ本体、又はホルダ本体が着脱可能に連結される連結手段を備え、
掛止片を縦片と縦片の一端から略直角に屈曲し、先端部に連結手段が設けられた横片から成る断面Ｌ字形となるように塑性変形し、
シートバックの背面に倒伏させたテーブルとシートバックの背面で縦片を挟持し、横片をテーブルの上端部に掛止してテーブルに取付けるようにしたことを特徴とする。
【００１０】
請求項３に記載の考案は、シートバックの背面に前後方向へ回動可能に組み付けられ、後席の着座者が使用するときシートバックの背面から後方へ略水平に延ばすことができ、使用しないときシートバックの背面に倒伏させることができるテーブルを備えたシートにモバイル端末又はカメラを着脱可能に装着するホルダであって、
塑性変形可能なワイヤから成る掛止片と、掛止片の一端に設けられ、モバイル端末又はカメラが着脱可能に装着されるホルダ本体、又はホルダ本体が着脱可能に連結される連結手段を備え、
掛止片を縦片と縦片の一端から略直角に屈曲し、先端部に連結手段が設けられた横片から成る断面Ｌ字形となるように塑性変形し、
シートバックの背面に倒伏させたテーブルとシートバックの背面で縦片を挟持し、横片をテーブルの上端部に掛止してテーブルに取付けるようにしたことを特徴とする。
【００１１】
請求項４に記載の考案は、請求項１に記載のホルダにおいて、連結手段として、ボールジョイントを設けたことを特徴とする。
【００１２】
請求項５に記載の考案は、請求項１に記載のホルダにおいて、連結手段として、吸盤を設けたことを特徴とする。
【００１３】
請求項６に記載の考案は、請求項１に記載のホルダにおいて、連結手段として、マグネットを設けたことを特徴とする。
【００１４】
請求項７に記載の考案は、請求項１に記載のホルダにおいて、連結手段として、粘着シートを設けたことを特徴とする。
【００１５】
請求項８に記載の考案は、請求項１に記載のホルダにおいて、連結手段として、ネジを設けたことを特徴とする。
【００１６】
請求項９に記載の考案は、請求項１に記載のホルダにおいて、縦片と平行に、かつ回動可能に回動縦片を横片の一端に組み付け、回動縦片にホルダ本体又は連結手段を設けたことを特徴とする。
【考案の効果】
【００１７】
請求項１、２又は３に記載の考案に係るホルダによれば、乗客が航空機や新幹線等に乗ってシートに座ったとき、前席のシートバックの背面に倒伏させたテーブルの上端部にスマートフォンやタブレット端末等のモバイル端末又はカメラを簡単に取付けることができるので、長時間の移動中、両手が自由のまま、タブレット端末で動画や音楽を楽しんだり、カメラで自分を撮影したりして快適に時間を過ごすことができる。
本考案では、シートバックの背面に倒伏させたテーブルを利用してタブレット端末等をテーブルに取付けるので、前席と乗客の間の空間がシートバックの背面から引き出されたテーブルで狭められることがない。
また、テーブルの上端部にタブレット端末やカメラを取付けるので、モバイル端末やカメラを使い勝手の良い高さに取付けることができる。
【００１８】
請求項２又は３に記載の考案に係るホルダによれば、掛止片に塑性変形可能な材質を用いたので、シートバックの背面に倒伏したテーブルにモバイル端末等を取付けたとき、掛止片を適宜塑性変形させて、取付角度を適宜調整でき、使い勝手が良い。
【００１９】
請求項４に記載の考案によれば、モバイル端末等をテーブルに取付けたとき、ボールジョイントで取付角度を適宜調整できるので、使い勝手が良い。
請求項５に記載の考案によれば、掛止片にモバイル端末等を吸盤で吸着できるので、モバイル端末等の着脱操作が簡単、迅速にでき、使い勝手が良い。
請求項６に記載の考案によれば、掛止片にモバイル端末等を磁石で吸引して連結できるので、モバイル端末等の着脱操作が簡単、迅速にでき、使い勝手が良い
請求項７に記載の考案によれば、掛止片にモバイル端末等を粘着シートで接着できるので、モバイル端末等の着脱操作が簡単、迅速にでき、使い勝手が良い
請求項８に記載の考案によれば、掛止片にモバイル端末等をネジで連結できるので、モバイル端末等の着脱操作が簡単、迅速にでき、使い勝手が良い
【００２０】
請求項９に記載の考案によれば、回動縦片を回動して掛止片の一端から起立させたり、垂下させることにより、モバイル端末等の取付高さ位置を変えることができ、使い勝手が良い。
【図面の簡単な説明】
【００２１】
【図１】本考案の第１実施例に係るスマートフォン用ホルダを示す斜視図である。
【図２】本考案の第１実施例に係るスマートフォン用ホルダをシートに取付ける手順を示す説明図である。
【図３】本考案の第１実施例に係るスマートフォン用ホルダをシートに取付ける手順を示す説明図である。
【図４】本考案の第１実施例に係るスマートフォン用ホルダをシートに取付ける手順を示す説明図である。
【図５】本考案の第１実施例に係るスマートフォン用ホルダを取付けたシートを示す説明図である。
【図６】本考案の第１実施例に係るスマートフォン用ホルダに装着されるホルダ本体を示す斜視図である。
【図７】本発明の第２実施例に係るスマートフォン用ホルダを示す斜視図である。
【図８】本考案の第２実施例に係るスマートフォン用ホルダを取付けたシートを示す説明図である。
【図９】本発明の第３実施例に係るスマートフォン用ホルダを示す斜視図である。
【図１０】本発明の第３実施例に係るスマートフォン用ホルダを示す斜視図である。
【図１１】本発明の第４実施例に係るスマートフォン用ホルダとデジタルカメラを示す斜視図である。
【図１２】本発明の第５実施例に係るスマートフォン用ホルダとホルダ本体を示す斜視図である。
【図１３】本発明の第６実施例に係るスマートフォン用ホルダとホルダ本体を示す斜視図である。
【図１４】本発明の第７実施例に係るスマートフォン用ホルダとホルダ本体を示す斜視図である。
【図１５】本発明の第８実施例に係るスマートフォン用ホルダを取付けたシートを示す説明図である。
【図１６】本発明の第９実施例に係るスマートフォン用ホルダを示す斜視図である。
【図１７】本発明の第９実施例に係るスマートフォン用ホルダを示す斜視図である。
【図１８】本考案の第９実施例に係るスマートフォン用ホルダを取付けたシートを示す説明図である。
【図１９】本発明の第１０実施例に係るスマートフォン用ホルダを示す斜視図である。
【図２０】本考案の第１０実施例に係るスマートフォン用ホルダを取付けたシートを示す説明図である。
【実施例１】
【００２２】
以下に本考案を図面に基づき説明する。図１〜図５には本考案の第１実施例に係るスマートフォン用ホルダ１０が示されている。当該スマートフォン用ホルダは１０掛止片１１と掛止片の一端に設けたＬ形フック機構１２で構成されている。
【００２３】
掛止片１１は薄肉鉄板を所要形状に曲げ加工したもので、第１縦片１１ａと第１縦片１１ａの一端からほぼ直角に屈曲した横片１１ｂ、及び横片１１ｂの先端部から略直角に第１縦片１１ａと逆方向に屈曲した第２縦片１１ｃから成り、第１縦片１１ａと横片１１ｂで断面形状がＬ字形の掛止片本体１１Ａが形成されている。
【００２４】
Ｌ形フック機構１２は断面形状がＬ字形のＬ形フック１２ａ、ボールジョイント１２ｂ及びベースプレート１２ｃを備え、Ｌ形フック１２ａがボールジョイント１２ｂを介してベースプレート１２ｃに組み付けられ、ベースプレート１２ｃが掛止片１１の第２縦片１１ｃに固定されている。このＬ形フック１２ａには図６に示すスマートフォン用のホルダ本体１３が着脱可能に装着できる。ホルダ本体１３の裏面にはＬ形フック１２ａが着脱可能に係止される係止穴１３ａが形成されている。
【００２５】
第１実施例に係るスマートフォン用ホルダ１０の構造は以上の通りであって、以下にその使用方法を説明する。図２に示すように、航空機のシート１４のシートバック１４ａの背面には後席の着座者が利用できるテーブル１５が組み付けられている。このテーブル１５は後席の着座者が使用するとき、前席のシートバック１４ａの背面から後方へ水平に引き出すことができる。一方、使用しないときは、シートバック１４ａの背面に形成された凹所１４ｂに倒伏して仕舞い込むことができる。
【００２６】
スマートフォン用ホルダ１０を前席のシートバック１４ａに取付けるには、前席のテーブル１５を図２、図３に示すように、凹所１４ｂから引き出し、凹所１４ｃの上端部に掛止片１１の横片１１ｂをあてがう。そうしておいて、テーブル１５を凹所１４ｂに倒伏させ、シート１４のロック摘み１６でテーブル１５を凹所１４ｂにロックする。これにより、図５に示すように、掛止片１１の第１縦片１１ａがシートバック１４ａの背面とテーブル１５で挟持され、掛止片１１の横片１１ｂがテーブル１５の上端部に掛止される。こうして、スマートフォン用ホルダ１０が前席のシートバック１４ａに取付けられる。そこで、スマートフォン１７を装着したホルダ本体１３をＬ形フック１２ａに係止する。
なお、予めスマートフォン１７を装着したホルダ本体１３をＬ形フック１２ａに係止しておいて、掛止片１１をシートバック１４ａの背面に取付けても良い。
【００２７】
第１実施例に係るスマートフォン用ホルダ１０によれば、乗客が航空機に乗ってシート１４に座ったとき、前席のシートバック１４ａの背面の凹所１４ｂに倒伏させたテーブル１５の上端部にスマートフォン１７を簡単に取付けることができるので、長時間の移動中、両手が自由のまま、スマートフォン１７で動画や音楽を楽しんだりして快適に時間を過ごすことができる。
【００２８】
凹所１４ｂに倒伏させたテーブル１５を利用してスマートフォン１７をシートバック１４に取付けるので、前席と乗客の間の空間がシートバック１４ａの背面から引き出されたテーブル１５で狭められることがない。
【００２９】
テーブル１５の上端部にスマートフォン１７を取付けるので、スマートフォン１７を乗客が見易い高さに取付けることができる。
【実施例２】
【００３０】
本考案の第２実施例に係るスマートフォン用ホルダ２０を図７及び図８に示す。当該スマートフォン用ホルダ２０は掛止片２１と掛止片２１の一端に設けたＬ形フック機構１２で構成されている。掛止片２１は薄肉鉄板を所要形状にプレス成型したもので、第１縦片２１ａと第１縦片２１ａの一端からほぼ直角に屈曲した横片２１ｂ、及び横片２１ｂの先端部から略直角に第１縦片２１ａと同じ方向に屈曲した第２縦片２１ｃから成り、第１縦片２１ａと横片２１ｂで断面形状がＬ字形の掛止片本体２１Ａが形成されている。航空機のシート１４に設けられるテーブル１５と新幹線や長距離バスに設けられるテーブルとは厚みが異なるので、第１縦片２１ａと第２縦片２１ｃの間隔はテーブルの種類の違いに拘わらず適用できるように大きめに設定されている。
なお、第２実施例に係るスマートフォン用ホルダ２０の他の構成は第１実施例に係るスマートフォン用ホルダ１０と同じであるので、同一の構成要素には同一の符号を付して説明を省略する。
【００３１】
第２実施例に係るスマートフォン用ホルダ２０は図８に示すように、掛止片２１の第１縦片２１ａをシートバック１４ａの背面とテーブル１５で挟持し、掛止片２１の横片２１ｂをテーブル１５の上端部に掛止してテーブル１５に取付けられる。
第２実施例に係るスマートフォン用ホルダ２０は第１縦片２１ａと第２縦片２１ｃの間隔が広いので、テーブル１５の種類の違いに拘わらず適用できる。
【実施例３】
【００３２】
本考案の第３実施例に係るスマートフォン用ホルダ３０を図９及び図１０に示す。当該スマートフォン用ホルダ３０の掛止片３１は縦片３１ａと、横片３１ｂ及び横片３１ｂの先端部に設けた回動縦片３１ｃから成る。回動縦片３１ｃは横片３１ｂの折り曲げ部３１ｄに軸３１ｅで回動可能に、かつ縦片３１ａと平行に組み付けられ、回動縦片３１ｃにＬ形フック機構１２が設けられている。
なお、第３実施例に係るスマートフォン用ホルダ３０の他の構成は第１実施例に係るスマートフォン用ホルダ１０と同じであるので、同一の構成要素には同一の符号を付して説明を省略する。
【００３３】
第３実施例に係るスマートフォン用ホルダ３０によれば、回動縦片３１ｃを回動して図９に示すように、横片３１ｂの一端から起立させたり、図１０に示すように、横片３１ｂから垂下させることにより、スマートフォン１７の取付高さ位置を変えることができ、使い勝手が良い。
【実施例４】
【００３４】
本考案の第４実施例に係るデジタルカメラ用ホルダ４０を図１１に示す。当該デジタルカメラ用ホルダ４０の掛止片４１は第１縦片４１ａと横片４１ｂ及び第２縦片４１ｃから成り、第２縦片４１ｃの表面には複数個の吸盤４２が設けられている。この吸盤４２でデジタルカメラ１８の背面を吸着してデジタルカメラ１８をデジタルカメラ用ホルダ４０に装着できる。
【００３５】
第４実施例に係るデジタルカメラ用ホルダ４０によれば、掛止片４１にデジタルカメラ１８を吸盤４２で吸着できるので、前席のシートバック１４にデジタルカメラ１８を取り付けて自分自身を撮影できる。
【実施例５】
【００３６】
本考案の第５実施例に係るスマートフォン用ホルダ５０を図１２に示す。当該スマートフォン用ホルダ５０の掛止片５１は第１縦片５１ａと横片５１ｂ及び第２縦片５１ｃから成り、第２縦片５１ｃの表面には磁石５２が設けられている。一方、ホルダ本体１３の裏面には材質が磁性体のプレート１３ｂが固着されているので、磁石５２でプレート１３ｂを吸引してホルダ本体１３をスマートフォン用ホルダ５０に装着できる。
【００３７】
第５実施例に係るスマートフォン用ホルダ５０によれば、掛止片５１にホルダ本体１３を磁石５２で吸着できるので、スマートフォン１７の着脱操作が簡単、迅速にでき、使い勝手が良い。
【実施例６】
【００３８】
本考案の第６実施例に係るスマートフォン用ホルダ６０を図１３に示す。当該スマートフォン用ホルダ６０の掛止片６１は第１縦片６１ａ、横片６１ｂ及び第２縦片６１ｃから成り、第２縦片６１ｃの表面には粘着シート６２が固着されているので、この粘着シート６２でホルダ本体１３の裏面を接着してホルダ本体１３をスマートフォン用ホルダ６０に装着できる。
【００３９】
第６実施例に係るスマートフォン用ホルダ６０によれば、掛止片６１にホルダ本体１３を粘着シート６２で接着できるので、スマートフォン１７の着脱操作が簡単、迅速にでき、使い勝手が良い。
【実施例７】
【００４０】
本考案の第７実施例に係るスマートフォン用ホルダ７０を図１４に示す。当該スマートフォン用ホルダ７０の掛止片７１は第１縦片７１ａ、横片７１ｂ及び第２縦片７１ｃから成り、第２縦片７１ｃの表面には三脚ネジ７２がボールジョイント７３を介して設けられている。一方、ホルダ本体１３の裏面には三脚ネジがねじ込まれるネジ穴１９ａを形成した台座１９が軸１９ｂで回動可能に組み付けられているので、台座１９のネジ穴１９ａに三脚ネジ７２をねじ込むことによりホルダ本体１３をスマートフォン用ホルダ７０に装着できる。
【００４１】
第７実施例に係るスマートフォン用ホルダ７０によれば、掛止片７１にホルダ本体１３を三脚ネジ７２で着脱できるので、スマートフォン１７の着脱操作が簡単、迅速にでき、使い勝手が良い。
【実施例８】
【００４２】
本考案の第８実施例に係るスマートフォン用ホルダ８０を図１５に示す。当該スマートフォン用ホルダ８０の掛止片８１は、縦片８１ａと、縦片８１ａから直角に屈曲する横片８１ｂから成り、縦片８１ａと横片８１ｂで断面Ｌ字形にプレス成形されている。そして、Ｌ形フック機構１２が横片８１ｂの先端部にボールジョイント８２を介して連結されている。
なお、第８実施例に係るスマートフォン用ホルダ８０の他の構成は第１実施例に係るスマートフォン用ホルダ１０と同じであるので、同一の構成要素には同一の符号を付して説明を省略する。
【００４３】
第８実施例に係るスマートフォン用ホルダ８０は掛止片８１が縦片８１ａと横片８１ｂだけから成るので、構造がシンプルとなり。またボールジョイント８２でスマートフォン１７の向きを適宜調整でき、使い勝手が良い。
【実施例９】
【００４４】
本考案の第９実施例に係るスマートフォン用ホルダ９０を図１６〜図１８に示す。第９実施例に係るスマートフォン用ホルダ９０は塑性変形可能な樹脂シートから成る掛止片９１を備え、掛止片９１の一端にＬ形フック機構１２が固着されている。
なお、他の構成は第１実施例に係るスマートフォン用ホルダ１０と同じであるので、同一の構成要素に同一の符号を付して説明を省略する。
【００４５】
第９実施例に係るスマートフォン用ホルダ９０は図１７及び図１８に示すように、掛止片９１を塑性変形して、第１縦片９１ａと横片９１ｂ及び第２縦片９１ｃを形成する。第１縦片９１ａと横片９１ｂで断面Ｌ字形の掛止片本体９１Ａを形成し、第２縦片９１ｃを横片９１ｂの先端部から第１縦片９１ａと略同じ方向に屈曲させる。そして、図１８に示すように掛止片９１の第１縦片９１ａをシートバック１４ａ背面とテーブル１５で挟持し、横片９１ｂをテーブ１５ルの上端部に掛止することにより、シートバック１４ａに取付ける。
【００４６】
第９実施例に係るスマートフォン用ホルダ９０によれば、掛止片９１に塑性変形可能な樹脂シートを用いたので、シートバック１４ａにスマートフォン１７を取付けたとき、第２縦片９１ｃを塑性変形させて、取付角度を適宜調整でき、使い勝手が良い。
なお、第９実施例に係るスマートフォン用ホルダ９０では塑性変形可能な掛止片９１の材質として樹脂シートを用いたが、亜鉛鉄板等の薄肉金属板を用いることもできる。
【実施例１０】
【００４７】
本考案の第１０実施例に係るスマートフォン用ホルダ１００を図１９と図２０に示す。第１０実施例に係るスマートフォン用ホルダ１０は針金若しくは針金に樹脂コーティングを施した塑性変形可能なワイヤから成る掛止片１０１を備え、掛止片１０１の一端にＬ形フック機構１２が固着されている。
なお、他の構成は第１実施例に係るスマートフォン用ホルダ１０と同じであるので、同一の構成要素に同一の符号を付して説明を省略する。
【００４８】
第１０実施例に係るスマートフォン用ホルダ１００は図２０に示すように、掛止片１０１を塑性変形して、第１縦片１０１ａと横片１０１ｂ及び第２縦片１０１ｃを形成する。第１縦片１０１ａと横片１０１ｂで断面Ｌ字形の掛止片本体１０１Ａを形成し、第２縦片１０１ｃを横片１０１ｂの先端部から第１縦片１０１ａと逆方向に屈曲させる。そして、図２０に示すように掛止片１０１の第１縦片１０１ａをシートバック１４ａの背面とテーブル１１５で挟持し、横片１０１ｂをテーブル１５の上端部に掛止することにより、シートバック１４ａに取付ける。
【００４９】
第１０実施例に係るスマートフォン用ホルダ１００も第９実施例に係るスマートフォン用ホルダ９０と同様に、掛止片１０１に塑性変形可能なワイヤを用いたので、シートバック１４ａにスマートフォン１７を取付けたとき、掛止片１０１の第２縦変１０１ｃを塑性変形させて、取付角度を調整でき、使い勝手が良い。
【００５０】
なお、本考案の実施例としてスマートフォン用ホルダ１０，２０，３０，５０，６０，７０，８０，９０，１００とデジタルカメラ用ホルダ４０について説明したが、本考案はタブレット端末等のモバイル端末にも適用できる。
【符号の説明】
【００５１】
１０…スマートフォン用ホルダ
１１…掛止片
１１…掛止片本体
１１ａ…第１縦片
１１ｂ…横片
１１ｃ…第２縦片
１２…Ｌ形フック機構
１３…ホルダ本体
１４…シート
１４ａ…シートバック
１５…テーブル
１７…スマートフォン
２０…スマートフォン用ホルダ
２１…掛止片
２１ａ…第１縦片
２１ｂ…横片
２１ｃ…第２縦片
３０…スマートフォン用ホルダ
３１…掛止片
３１ａ…第１縦片
３１ｂ…横片
３１ｃ…回動縦片
４０…デジタルカメラ用ホルダ
４１…掛止片
４１ａ…第１縦片
４１ｂ…横片
４１ｃ…第２縦片
４１ｄ…吸盤
５０…スマートフォン用ホルダ
５１…掛止片
５１ａ…第１縦片
５１ｂ…横片
５１ｃ…第２縦片
５１ｄ…磁石
６０…スマートフォン用ホルダ
６１…掛止片
６１ａ…第１縦片
６１ｂ…横片
６１ｃ…粘着シート
７０…スマートフォン用ホルダ
７１…掛止片
７１ａ…第１縦片
７１ｂ…横片
７１ｃ…三脚ネジ
８０…スマートフォン用ホルダ
８１…掛止片
８１ａ…縦片
８１ｂ…横片
８２…ボールジョイント
９０…スマートフォン用ホルダ
９１…掛止片
９１ａ…第１縦片
９１ｂ…横片
９１ｃ…第２縦片
１００…スマートフォン用ホルダ
１０１…掛止片
１０１ａ…第１縦片
１０１ｂ…横片
１０１ｃ…第２縦片
【図１】
0003194458.tif 000003
【図２】
0003194458.tif 000004
【図３】
0003194458.tif 000005
【図４】
0003194458.tif 000006
【図５】
0003194458.tif 000007
【図６】
0003194458.tif 000008
【図７】
0003194458.tif 000009
【図８】
0003194458.tif 000010
【図９】
0003194458.tif 000011
【図１０】
0003194458.tif 000012
【図１１】
0003194458.tif 000013
【図１２】
0003194458.tif 000014
【図１３】
0003194458.tif 000015
【図１４】
0003194458.tif 000016
【図１５】
0003194458.tif 000017
【図１６】
0003194458.tif 000018
【図１７】
0003194458.tif 000019
【図１８】
0003194458.tif 000020
【図１９】
0003194458.tif 000021
【図２０】
0003194458.tif 000022
【手続補正書】
【提出日】平成26年9月16日(2014.9.16)
【手続補正１】
【補正対象書類名】明細書
【補正対象項目名】全文
【補正方法】変更
【補正の内容】
【考案の詳細な説明】
【技術分野】
【０００１】
本考案は、ホルダに関し、より詳しくは航空機、新幹線、特急電車、長距離バス等のシートに座ってスマートフォンやタブレット端末等のモバイル端末やカメラを使用するときに好適なホルダに関する。
【背景技術】
【０００２】
航空機や新幹線、特急電車、長距離バス等を利用して遠方へ移動するとき、長時間シートに座り続けることになるので、スマートフォンやタブレット端末を使って動画を楽しみながら移動時間を過ごしている乗客がよく見かけられる。
【０００３】
航空機、新幹線、特急電車、長距離用バス等のシートのシートバックの背面には後席の着座者が利用できるテーブルが組み付けられている。この種のテーブルは後席の着座者が使用するとき、前席のシートバックの背面から後方へ水平に引き出すことができる。一方、使用されないとき、シートバックの背面に形成された凹所に倒伏して仕舞い込むことができる。
【０００４】
このテーブルを前席のシートバックの凹所から引き出し、タブレット端末をその上に置いて、前席のシートバックに立て掛けても、タブレット端末は航空機や新幹線等が揺れると倒れてしまうので、タブレット端末で動画を楽しむにはタブレット端末を手で持っていなければならず、不便である。
【０００５】
一方、特開２００４−１３８４３号公報には、タブレット端末を取付けることができる台座を備えたタブレット端末用ホルダが開示されている。台座にタブレット端末を取り付けて航空機等のテーブルに置けば、航空機等が揺れてもタブレット端末が倒れることはないので、タブレット端末を手で支えなくて動画を楽しむことができる。
また、特開２０１３−２５６２４０号公報にはスマートフォン用ホルダが開示されている。このホルダは裏面に吸盤を備えた取付ベースと、ベースに立てて設けたアームと、アームの先端部に設けた挟持アームを備えている。挟持アームでスマートフォンを挟持し、取付ベースをテーブルに置いて吸盤でテーブルに吸着することにより、強い揺れでもスマートフォンが倒れないようにテーブルに設置できる。
さらにまた、特開２０１３−２１６１６３号公報にはシートバックの背面にスマートフォン用ホルダを設け、スマートフォンをシートバックの背面に立て掛けることができる車両用シートが開示されている。
【先行技術文献】
【特許文献】
【０００６】
【特許文献１】特開２００４−１３８４３号公報
【特許文献２】特開２０１３−２５６２４０号公報
【特許文献３】特開２０１３−２１６１６３号公報
【考案の概要】
【考案が解決しようとする課題】
【０００７】
上記した従来のタブレット端末用ホルダやスマートフォン用ホルダは嵩張るため、航空機や新幹線を利用して移動するとき、手荷物として持ち運ぶには甚だ不便である。また、航空機や新幹線のシートにスマートフォン用ホルダを組み込むにはシートの製造コストが掛かり過ぎる。
本考案はかかる事情に鑑みてなされたものであって、航空機や新幹線等のシートに座ったとき、前席のシートバックの裏面にスマートフォン、タブレット端末、カメラ等を簡単に取付けることができ、構造が簡単で嵩張らず、持ち運びが容易なホルダを提供することを目的とする。
【課題を解決するための手段】
【０００８】
請求項１に記載の考案は、シートバックの背面に組み付けられ、後席の着座者が使用するときにシートバックの背面から後方へ略水平に引き出し、使用しないときシートバックの背面に倒伏させることができるテーブルを備えたシートにモバイル端末又はカメラを着脱可能に装着するホルダであって、
縦片と縦片の一端から略直角に屈曲する横片から成る断面Ｌ字形に成形した掛止片と、横片の先端部に設けられ、モバイル端末又はカメラが着脱可能に装着されるホルダ本体、又はホルダ本体が着脱可能に連結される連結手段を備え、
シートバックの背面に倒伏させたテーブルとシートバックの背面で縦片を挟持し、横片をテーブルの上端部に掛止してテーブルに取付けるようにしたことを特徴とする。
【０００９】
請求項２に記載の考案は、シートバックの背面に前後方向へ回動可能に組み付けられ、後席の着座者が使用するときシートバックの背面から後方へ略水平に延ばすことができ、使用しないときシートバックの背面に倒伏させることができるテーブルを備えたシートにモバイル端末又はカメラを着脱可能に装着するホルダであって、
塑性変形可能な材質から成る掛止片と、掛止片の一端に設けられ、モバイル端末又はカメラが着脱可能に装着されるホルダ本体、又はホルダ本体が着脱可能に連結される連結手段を備え、
掛止片を縦片と縦片の一端から略直角に屈曲し、先端部に連結手段が設けられた横片から成る断面Ｌ字形となるように塑性変形し、
シートバックの背面に倒伏させたテーブルとシートバックの背面で縦片を挟持し、横片をテーブルの上端部に掛止してテーブルに取付けるようにしたことを特徴とする。
【００１０】
請求項３に記載の考案は、シートバックの背面に前後方向へ回動可能に組み付けられ、後席の着座者が使用するときシートバックの背面から後方へ略水平に延ばすことができ、使用しないときシートバックの背面に倒伏させることができるテーブルを備えたシートにモバイル端末又はカメラを着脱可能に装着するホルダであって、
塑性変形可能なワイヤから成る掛止片と、掛止片の一端に設けられ、モバイル端末又はカメラが着脱可能に装着されるホルダ本体、又はホルダ本体が着脱可能に連結される連結手段を備え、
掛止片を縦片と縦片の一端から略直角に屈曲し、先端部に連結手段が設けられた横片から成る断面Ｌ字形となるように塑性変形し、
シートバックの背面に倒伏させたテーブルとシートバックの背面で縦片を挟持し、横片をテーブルの上端部に掛止してテーブルに取付けるようにしたことを特徴とする。
【００１１】
請求項４に記載の考案は、請求項１に記載のホルダにおいて、連結手段として、ボールジョイントを設けたことを特徴とする。
【００１２】
請求項５に記載の考案は、請求項１に記載のホルダにおいて、連結手段として、吸盤を設けたことを特徴とする。
【００１３】
請求項６に記載の考案は、請求項１に記載のホルダにおいて、連結手段として、マグネットを設けたことを特徴とする。
【００１４】
請求項７に記載の考案は、請求項１に記載のホルダにおいて、連結手段として、粘着シートを設けたことを特徴とする。
【００１５】
請求項８に記載の考案は、請求項１に記載のホルダにおいて、連結手段として、ネジを設けたことを特徴とする。
【００１６】
請求項９に記載の考案は、請求項１に記載のホルダにおいて、縦片と平行に、かつ回動可能に回動縦片を横片の一端に組み付け、回動縦片にホルダ本体又は連結手段を設けたことを特徴とする。
【考案の効果】
【００１７】
請求項１、２又は３に記載の考案に係るホルダによれば、乗客が航空機や新幹線等に乗ってシートに座ったとき、前席のシートバックの背面に倒伏させたテーブルの上端部にスマートフォンやタブレット端末等のモバイル端末又はカメラを簡単に取付けることができるので、長時間の移動中、両手が自由のまま、タブレット端末で動画や音楽を楽しんだり、カメラで自分を撮影したりして快適に時間を過ごすことができる。
本考案では、シートバックの背面に倒伏させたテーブルを利用してタブレット端末等をテーブルに取付けるので、前席と乗客の間の空間がシートバックの背面から引き出されたテーブルで狭められることがない。
また、テーブルの上端部にタブレット端末やカメラを取付けるので、モバイル端末やカメラを使い勝手の良い高さに取付けることができる。
【００１８】
請求項２又は３に記載の考案に係るホルダによれば、掛止片に塑性変形可能な材質を用いたので、シートバックの背面に倒伏したテーブルにモバイル端末等を取付けたとき、掛止片を適宜塑性変形させて、取付角度を適宜調整でき、使い勝手が良い。
【００１９】
請求項４に記載の考案によれば、モバイル端末等をテーブルに取付けたとき、ボールジョイントで取付角度を適宜調整できるので、使い勝手が良い。
請求項５に記載の考案によれば、掛止片にモバイル端末等を吸盤で吸着できるので、モバイル端末等の着脱操作が簡単、迅速にでき、使い勝手が良い。
請求項６に記載の考案によれば、掛止片にモバイル端末等を磁石で吸引して連結できるので、モバイル端末等の着脱操作が簡単、迅速にでき、使い勝手が良い
請求項７に記載の考案によれば、掛止片にモバイル端末等を粘着シートで接着できるので、モバイル端末等の着脱操作が簡単、迅速にでき、使い勝手が良い
請求項８に記載の考案によれば、掛止片にモバイル端末等をネジで連結できるので、モバイル端末等の着脱操作が簡単、迅速にでき、使い勝手が良い
【００２０】
請求項９に記載の考案によれば、回動縦片を回動して掛止片の一端から起立させたり、垂下させることにより、モバイル端末等の取付高さ位置を変えることができ、使い勝手が良い。
【図面の簡単な説明】
【００２１】
【図１】本考案の第１実施例に係るスマートフォン用ホルダを示す斜視図である。
【図２】本考案の第１実施例に係るスマートフォン用ホルダをシートに取付ける手順を示す説明図である。
【図３】本考案の第１実施例に係るスマートフォン用ホルダをシートに取付ける手順を示す説明図である。
【図４】本考案の第１実施例に係るスマートフォン用ホルダをシートに取付ける手順を示す説明図である。
【図５】本考案の第１実施例に係るスマートフォン用ホルダを取付けたシートを示す説明図である。
【図６】本考案の第１実施例に係るスマートフォン用ホルダに装着されるホルダ本体を示す斜視図である。
【図７】本発明の第２実施例に係るスマートフォン用ホルダを示す斜視図である。
【図８】本考案の第２実施例に係るスマートフォン用ホルダを取付けたシートを示す説明図である。
【図９】本発明の第３実施例に係るスマートフォン用ホルダを示す斜視図である。
【図１０】本発明の第３実施例に係るスマートフォン用ホルダを示す斜視図である。
【図１１】本発明の第４実施例に係るデジタルカメラ用ホルダとデジタルカメラを示す斜視図である。
【図１２】本発明の第５実施例に係るスマートフォン用ホルダとホルダ本体を示す斜視図である。
【図１３】本発明の第６実施例に係るスマートフォン用ホルダとホルダ本体を示す斜視図である。
【図１４】本発明の第７実施例に係るスマートフォン用ホルダとホルダ本体を示す斜視図である。
【図１５】本発明の第８実施例に係るスマートフォン用ホルダを取付けたシートを示す説明図である。
【図１６】本発明の第９実施例に係るスマートフォン用ホルダを示す斜視図である。
【図１７】本発明の第９実施例に係るスマートフォン用ホルダを示す斜視図である。
【図１８】本考案の第９実施例に係るスマートフォン用ホルダを取付けたシートを示す説明図である。
【図１９】本発明の第１０実施例に係るスマートフォン用ホルダを示す斜視図である。
【図２０】本考案の第１０実施例に係るスマートフォン用ホルダを取付けたシートを示す説明図である。
【実施例１】
【００２２】
以下に本考案を図面に基づき説明する。図１〜図５には本考案の第１実施例に係るスマートフォン用ホルダ１０が示されている。当該スマートフォン用ホルダ１０は掛止片１１と掛止片の一端に設けたＬ形フック機構１２で構成されている。
【００２３】
掛止片１１は薄肉鉄板を所要形状に曲げ加工したもので、第１縦片１１ａと第１縦片１１ａの一端からほぼ直角に屈曲した横片１１ｂ、及び横片１１ｂの先端部から略直角に第１縦片１１ａと逆方向に屈曲した第２縦片１１ｃから成り、第１縦片１１ａと横片１１ｂで断面形状がＬ字形の掛止片本体１１Ａが形成されている。
【００２４】
Ｌ形フック機構１２は断面形状がＬ字形のＬ形フック１２ａ、ボールジョイント１２ｂ及びベースプレート１２ｃを備え、Ｌ形フック１２ａがボールジョイント１２ｂを介してベースプレート１２ｃに組み付けられ、ベースプレート１２ｃが掛止片１１の第２縦片１１ｃに固定されている。このＬ形フック１２ａには図６に示すスマートフォン用のホルダ本体１３が着脱可能に装着できる。ホルダ本体１３の裏面にはＬ形フック１２ａが着脱可能に係止される係止穴１３ａが形成されている。
【００２５】
第１実施例に係るスマートフォン用ホルダ１０の構造は以上の通りであって、以下にその使用方法を説明する。図２に示すように、航空機のシート１４のシートバック１４ａの背面には後席の着座者が利用できるテーブル１５が組み付けられている。このテーブル１５は後席の着座者が使用するとき、前席のシートバック１４ａの背面から後方へ水平に引き出すことができる。一方、使用しないときは、シートバック１４ａの背面に形成された凹所１４ｂに倒伏して仕舞い込むことができる。
【００２６】
スマートフォン用ホルダ１０を前席のシートバック１４ａに取付けるには、前席のテーブル１５を図２、図３に示すように、凹所１４ｂから引き出し、凹所１４ｂの上端部に掛止片１１の横片１１ｂをあてがう。そうしておいて、テーブル１５を凹所１４ｂに倒伏させ、シート１４のロック摘み１６でテーブル１５を凹所１４ｂにロックする。これにより、図５に示すように、掛止片１１の第１縦片１１ａがシートバック１４ａの背面とテーブル１５で挟持され、掛止片１１の横片１１ｂがテーブル１５の上端部に掛止される。こうして、スマートフォン用ホルダ１０が前席のシートバック１４ａに取付けられる。そこで、スマートフォン１７を装着したホルダ本体１３をＬ形フック１２ａに係止する。
なお、予めスマートフォン１７を装着したホルダ本体１３をＬ形フック１２ａに係止しておいて、掛止片１１をシートバック１４ａの背面に取付けても良い。
【００２７】
第１実施例に係るスマートフォン用ホルダ１０によれば、乗客が航空機に乗ってシート１４に座ったとき、前席のシートバック１４ａの背面の凹所１４ｂに倒伏させたテーブル１５の上端部にスマートフォン１７を簡単に取付けることができるので、長時間の移動中、両手が自由のまま、スマートフォン１７で動画や音楽を楽しんだりして快適に時間を過ごすことができる。
【００２８】
凹所１４ｂに倒伏させたテーブル１５を利用してスマートフォン１７をシートバック１４ａに取付けるので、前席と乗客の間の空間がシートバック１４ａの背面から引き出されたテーブル１５で狭められることがない。
【００２９】
テーブル１５の上端部にスマートフォン１７を取付けるので、スマートフォン１７を乗客が見易い高さに取付けることができる。
【実施例２】
【００３０】
本考案の第２実施例に係るスマートフォン用ホルダ２０を図７及び図８に示す。当該スマートフォン用ホルダ２０は掛止片２１と掛止片２１の一端に設けたＬ形フック機構１２で構成されている。掛止片２１は薄肉鉄板を所要形状にプレス成型したもので、第１縦片２１ａと第１縦片２１ａの一端からほぼ直角に屈曲した横片２１ｂ、及び横片２１ｂの先端部から略直角に第１縦片２１ａと同じ方向に屈曲した第２縦片２１ｃから成り、第１縦片２１ａと横片２１ｂで断面形状がＬ字形の掛止片本体２１Ａが形成されている。航空機のシート１４に設けられるテーブル１５と新幹線や長距離バスに設けられるテーブルとは厚みが異なるので、第１縦片２１ａと第２縦片２１ｃの間隔はテーブル１５の種類の違いに拘わらず適用できるように大きめに設定されている。
なお、第２実施例に係るスマートフォン用ホルダ２０の他の構成は第１実施例に係るスマートフォン用ホルダ１０と同じであるので、同一の構成要素には同一の符号を付して説明を省略する。
【００３１】
第２実施例に係るスマートフォン用ホルダ２０は図８に示すように、掛止片２１の第１縦片２１ａをシートバック１４ａの背面とテーブル１５で挟持し、掛止片２１の横片２１ｂをテーブル１５の上端部に掛止してテーブル１５に取付けられる。
第２実施例に係るスマートフォン用ホルダ２０は第１縦片２１ａと第２縦片２１ｃの間隔が広いので、テーブル１５の種類の違いに拘わらず適用できる。
【実施例３】
【００３２】
本考案の第３実施例に係るスマートフォン用ホルダ３０を図９及び図１０に示す。当該スマートフォン用ホルダ３０の掛止片３１は縦片３１ａと、横片３１ｂ及び横片３１ｂの先端部に設けた回動縦片３１ｃから成る。回動縦片３１ｃは横片３１ｂの折り曲げ部３１ｄに軸３１ｅで回動可能に、かつ縦片３１ａと平行に組み付けられ、回動縦片３１ｃにＬ形フック機構１２が設けられている。
なお、第３実施例に係るスマートフォン用ホルダ３０の他の構成は第１実施例に係るスマートフォン用ホルダ１０と同じであるので、同一の構成要素には同一の符号を付して説明を省略する。
【００３３】
第３実施例に係るスマートフォン用ホルダ３０によれば、回動縦片３１ｃを回動して図９に示すように、横片３１ｂの一端から起立させたり、図１０に示すように、横片３１ｂから垂下させることにより、スマートフォン１７の取付高さ位置を変えることができ、使い勝手が良い。
【実施例４】
【００３４】
本考案の第４実施例に係るデジタルカメラ用ホルダ４０を図１１に示す。当該デジタルカメラ用ホルダ４０の掛止片４１は第１縦片４１ａと横片４１ｂ及び第２縦片４１ｃから成り、第２縦片４１ｃの表面には複数個の吸盤４２が設けられている。この吸盤４２でデジタルカメラ１８の背面を吸着してデジタルカメラ１８をデジタルカメラ用ホルダ４０に装着できる。
【００３５】
第４実施例に係るデジタルカメラ用ホルダ４０によれば、掛止片４１にデジタルカメラ１８を吸盤４２で吸着できるので、前席のシートバック１４にデジタルカメラ１８を取り付けて自分自身を撮影できる。
【実施例５】
【００３６】
本考案の第５実施例に係るスマートフォン用ホルダ５０を図１２に示す。当該スマートフォン用ホルダ５０の掛止片５１は第１縦片５１ａと横片５１ｂ及び第２縦片５１ｃから成り、第２縦片５１ｃの表面には磁石５２が設けられている。一方、ホルダ本体１３の裏面には材質が磁性体のプレート１３ｂが固着されているので、磁石５２でプレート１３ｂを吸引してホルダ本体１３をスマートフォン用ホルダ５０に装着できる。
【００３７】
第５実施例に係るスマートフォン用ホルダ５０によれば、掛止片５１にホルダ本体１３を磁石５２で吸着できるので、スマートフォン１７の着脱操作が簡単、迅速にでき、使い勝手が良い。
【実施例６】
【００３８】
本考案の第６実施例に係るスマートフォン用ホルダ６０を図１３に示す。当該スマートフォン用ホルダ６０の掛止片６１は第１縦片６１ａ、横片６１ｂ及び第２縦片６１ｃから成り、第２縦片６１ｃの表面には粘着シート６２が固着されているので、この粘着シート６２でホルダ本体１３の裏面を接着してホルダ本体１３をスマートフォン用ホルダ６０に装着できる。
【００３９】
第６実施例に係るスマートフォン用ホルダ６０によれば、掛止片６１にホルダ本体１３を粘着シート６２で接着できるので、スマートフォン１７の着脱操作が簡単、迅速にでき、使い勝手が良い。
【実施例７】
【００４０】
本考案の第７実施例に係るスマートフォン用ホルダ７０を図１４に示す。当該スマートフォン用ホルダ７０の掛止片７１は第１縦片７１ａ、横片７１ｂ及び第２縦片７１ｃから成り、第２縦片７１ｃの表面には三脚ネジ７２がボールジョイント７３を介して設けられている。一方、ホルダ本体１３の裏面には三脚ネジ７２がねじ込まれるネジ穴１９ａを形成した台座１９が軸１９ｂで回動可能に組み付けられているので、台座１９のネジ穴１９ａに三脚ネジ７２をねじ込むことによりホルダ本体１３をスマートフォン用ホルダ７０に装着できる。
【００４１】
第７実施例に係るスマートフォン用ホルダ７０によれば、掛止片７１にホルダ本体１３を三脚ネジ７２で着脱できるので、スマートフォン１７の着脱操作が簡単、迅速にでき、使い勝手が良い。
【実施例８】
【００４２】
本考案の第８実施例に係るスマートフォン用ホルダ８０を図１５に示す。当該スマートフォン用ホルダ８０の掛止片８１は、縦片８１ａと、縦片８１ａから直角に屈曲する横片８１ｂから成り、縦片８１ａと横片８１ｂで断面Ｌ字形にプレス成形されている。そして、Ｌ形フック機構１２が横片８１ｂの先端部にボールジョイント８２を介して連結されている。
なお、第８実施例に係るスマートフォン用ホルダ８０の他の構成は第１実施例に係るスマートフォン用ホルダ１０と同じであるので、同一の構成要素には同一の符号を付して説明を省略する。
【００４３】
第８実施例に係るスマートフォン用ホルダ８０は掛止片８１が縦片８１ａと横片８１ｂだけから成るので、構造がシンプルとなり、またボールジョイント８２でスマートフォン１７の向きを適宜調整でき、使い勝手が良い。
【実施例９】
【００４４】
本考案の第９実施例に係るスマートフォン用ホルダ９０を図１６〜図１８に示す。第９実施例に係るスマートフォン用ホルダ９０は塑性変形可能な樹脂シートから成る掛止片９１を備え、掛止片９１の一端にＬ形フック機構１２が固着されている。
なお、他の構成は第１実施例に係るスマートフォン用ホルダ１０と同じであるので、同一の構成要素に同一の符号を付して説明を省略する。
【００４５】
第９実施例に係るスマートフォン用ホルダ９０は図１７及び図１８に示すように、掛止片９１を塑性変形して、第１縦片９１ａと横片９１ｂ及び第２縦片９１ｃを形成する。第１縦片９１ａと横片９１ｂで断面Ｌ字形の掛止片本体９１Ａを形成し、第２縦片９１ｃを横片９１ｂの先端部から第１縦片９１ａと略同じ方向に屈曲させる。そして、図１８に示すように掛止片９１の第１縦片９１ａをシートバック１４ａの背面とテーブル１５で挟持し、横片９１ｂをテーブル１５の上端部に掛止することにより、シートバック１４ａに取付ける。
【００４６】
第９実施例に係るスマートフォン用ホルダ９０によれば、掛止片９１に塑性変形可能な樹脂シートを用いたので、シートバック１４ａにスマートフォン１７を取付けたとき、第２縦片９１ｃを塑性変形させて、取付角度を適宜調整でき、使い勝手が良い。
なお、第９実施例に係るスマートフォン用ホルダ９０では塑性変形可能な掛止片９１の材質として樹脂シートを用いたが、亜鉛鉄板等の薄肉金属板を用いることもできる。
【実施例１０】
【００４７】
本考案の第１０実施例に係るスマートフォン用ホルダ１００を図１９と図２０に示す。第１０実施例に係るスマートフォン用ホルダ１００は針金若しくは針金に樹脂コーティングを施した塑性変形可能なワイヤから成る掛止片１０１を備え、掛止片１０１の一端にＬ形フック機構１２が固着されている。
なお、他の構成は第１実施例に係るスマートフォン用ホルダ１０と同じであるので、同一の構成要素に同一の符号を付して説明を省略する。
【００４８】
第１０実施例に係るスマートフォン用ホルダ１００は図２０に示すように、掛止片１０１を塑性変形して、第１縦片１０１ａと横片１０１ｂ及び第２縦片１０１ｃを形成する。第１縦片１０１ａと横片１０１ｂで断面Ｌ字形の掛止片本体１０１Ａを形成し、第２縦片１０１ｃを横片１０１ｂの先端部から第１縦片１０１ａと逆方向に屈曲させる。そして、図２０に示すように掛止片１０１の第１縦片１０１ａをシートバック１４ａの背面とテーブル１５で挟持し、横片１０１ｂをテーブル１５の上端部に掛止することにより、シートバック１４ａに取付ける。
【００４９】
第１０実施例に係るスマートフォン用ホルダ１００も第９実施例に係るスマートフォン用ホルダ９０と同様に、掛止片１０１に塑性変形可能なワイヤを用いたので、シートバック１４ａにスマートフォン１７を取付けたとき、掛止片１０１の第２縦片１０１ｃを塑性変形させて、取付角度を調整でき、使い勝手が良い。
【００５０】
なお、本考案の実施例としてスマートフォン用ホルダ１０，２０，３０，５０，６０，７０，８０，９０，１００とデジタルカメラ用ホルダ４０について説明したが、本考案はタブレット端末等のモバイル端末にも適用できる。
【符号の説明】
【００５１】
１０…スマートフォン用ホルダ
１１…掛止片
１１Ａ…掛止片本体
１１ａ…第１縦片
１１ｂ…横片
１１ｃ…第２縦片
１２…Ｌ形フック機構
１３…ホルダ本体
１４…シート
１４ａ…シートバック
１５…テーブル
１７…スマートフォン
２０…スマートフォン用ホルダ
２１…掛止片
２１Ａ…掛止片本体
２１ａ…第１縦片
２１ｂ…横片
２１ｃ…第２縦片
３０…スマートフォン用ホルダ
３１…掛止片
３１ａ…第１縦片
３１ｂ…横片
３１ｃ…回動縦片
４０…デジタルカメラ用ホルダ
４１…掛止片
４１ａ…第１縦片
４１ｂ…横片
４１ｃ…第２縦片
４２…吸盤
５０…スマートフォン用ホルダ
５１…掛止片
５１ａ…第１縦片
５１ｂ…横片
５１ｃ…第２縦片
５２…マグネット
６０…スマートフォン用ホルダ
６１…掛止片
６１ａ…第１縦片
６１ｂ…横片
６１ｃ…第２縦片
６２…粘着シート
７０…スマートフォン用ホルダ
７１…掛止片
７１ａ…第１縦片
７１ｂ…横片
７１ｃ…第２縦片
７２…三脚ネジ
７３…ボールジョイント
８０…スマートフォン用ホルダ
８１…掛止片
８１ａ…縦片
８１ｂ…横片
８２…ボールジョイント
９０…スマートフォン用ホルダ
９１…掛止片
９１Ａ…掛止片本体
９１ａ…第１縦片
９１ｂ…横片
９１ｃ…第２縦片
１００…スマートフォン用ホルダ
１０１…掛止片
１０１Ａ…掛止片本体
１０１ａ…第１縦片
１０１ｂ…横片
１０１ｃ…第２縦片
【手続補正２】
【補正対象書類名】図面
【補正対象項目名】図８
【補正方法】変更
【補正の内容】
【図８】
0003194458.tif 000023
【手続補正３】
【補正対象書類名】図面
【補正対象項目名】図１１
【補正方法】変更
【補正の内容】
【図１１】
0003194458.tif 000024
【手続補正４】
【補正対象書類名】図面
【補正対象項目名】図１８
【補正方法】変更
【補正の内容】
【図１８】
0003194458.tif 000025
【手続補正５】
【補正対象書類名】図面
【補正対象項目名】図２０
【補正方法】変更
【補正の内容】
【図２０】
0003194458.tif 000026